(57)【要約】  パケット交換無線システムにおけるタイミング進みのようなアップリンク同期パラメータの有効性を結論付ける。この方法は、アップリンク同期パラメータを検出し(802)、アップリンク同期パラメータの検出からのインターバルを測定し(804)、そして測定されたインターバルを所定のスレッシュホールドと比較し(806,808)、その測定されたインターバルが所定のスレッシュホールドより短い場合には、検出されたアップリンク同期パラメータが依然有効であると結論付け(810)、さもなければ、検出されたアップリンク同期パラメータがもはや有効でないと結論付ける(812)ことを含む。【選択図】図８
2009531903.tif 000002
【特許請求の範囲】
【請求項１】
アップリンク同期パラメータを検出する検出器と、
該検出器による前記アップリンク同期パラメータの検出からインターバルを測定する時間測定ユニットと、
測定された前記インターバルと所定の閾値とを比較し、測定された前記インターバルが前記所定の閾値より短い場合には、検出された前記アップリンク同期パラメータが依然として有効であると決定し、それ以外の場合には、検出された前記アップリンク同期パラメータがもはや有効ではないと決定する、評価器と、
を具備することを特徴とする装置。
【請求項２】
前記アップリンク同期パラメータがタイミング進みパラメータを含む、請求項１に記載の装置。
【請求項３】
前記評価器が前記アップリンクのユーザ装置の推定された移動に基づいて前記所定の閾値を調整する、請求項１に記載の装置。
【請求項４】
前記アップリンク同期パラメータの変化に関する履歴情報を記憶するメモリをさらに具備し、
前記評価器が、前記履歴情報に基づいて前記所定の閾値を調整する、請求項１に記載の装置。
【請求項５】
ユーザ装置を含む請求項１に記載の装置。
【請求項６】
前記アップリンク同期パラメータを含むダウンリンクシグナリングを受信する受信器をさらに具備する、請求項５に記載の装置。
【請求項７】
前記受信器が前記所定の閾値を含むダウンリンクシグナリングを受信する、請求項６に記載の装置。
【請求項８】
前記受信器が不連続受信モードにより動作し、前記評価器が該不連続受信モードが終了した後に動作する、請求項６に記載の装置。
【請求項９】
ノードＢを含む請求項１に記載の装置。
【請求項１０】
決定された有効性をダウンリンクに送信する送信器をさらに具備する、請求項９に記載の装置。
【請求項１１】
アップリンク同期パラメータを検出する手段と、
該検出する手段による前記アップリンク同期パラメータの検出からインターバルを測定する手段と、
測定された前記インターバルと所定の閾値とを比較する手段であって、測定された前記インターバルが前記所定の閾値より短い場合には、検出された前記アップリンク同期パラメータが依然として有効であると決定し、それ以外の場合には、検出された前記アップリンク同期パラメータがもはや有効ではないと決定する手段と、
を具備することを特徴とする構成体。
【請求項１２】
前記アップリンク同期パラメータがタイミング進行パラメータを含む、請求項１１に記載の構成体。
【請求項１３】
前記比較する手段が、前記アップリンクのユーザ装置の推定された移動に基づいて前記所定の閾値を調整する、請求項１１に記載の構成体。
【請求項１４】
前記アップリンク同期パラメータの変化に関する履歴情報を記憶する手段をさらに具備し、
前記比較する手段が、前記履歴情報に基づいて前記所定の閾値を調整する、請求項１１に記載の構成体。
【請求項１５】
前記アップリンク同期パラメータを含むダウンリンクシグナリングを受信する手段をさらに具備する、請求項１１に記載の構成体。
【請求項１６】
前記受信する手段が、前記所定の閾値を含むダウンリンクシグナリングを受信する、請求項１５に記載の構成体。
【請求項１７】
前記受信する手段が不連続受信モードにより動作し、前記比較する手段は、該不連続受信モードが終了した後に動作する、請求項１５に記載の構成体。
【請求項１８】
決定された有効性をダウンリンクに送信する手段をさらに具備する、請求項１１に記載の構成体。
【請求項１９】
アップリンク同期パラメータを検出する検出器と、
該検出器による前記アップリンク同期パラメータの検出からインターバルを測定する時間測定ユニットと、
測定された前記インターバルと所定の閾値とを比較し、測定された前記インターバルが前記所定の閾値より短い場合には、検出された前記アップリンク同期パラメータが以前として有効であると決定し、それ以外の場合には、検出された前記アップリンク同期パラメータがもはや有効ではないと決定する、評価器と、
を具備することを特徴とするユーザ装置。
【請求項２０】
前記アップリンク同期パラメータがタイミング進行パラメータを含む、請求項１９に記載のユーザ装置。
【請求項２１】
前記評価器が前記アップリンクのユーザ装置の推定された移動に基づいて前記所定の閾値を調整する、請求項１９に記載のユーザ装置。
【請求項２２】
前記アップリンク同期パラメータの変化に関する履歴情報を記憶するメモリをさらに具備し、前記評価器が該履歴情報に基づいて前記所定の閾値を調整する、請求項１９に記載のユーザ装置。
【請求項２３】
前記アップリンク同期パラメータを含むダウンリンクシグナリングを受信する受信器をさらに具備する、請求項１９に記載のユーザ装置。
【請求項２４】
前記受信器が前記所定の閾値を含むダウンリンクシグナリングを受信する、請求項２３に記載のユーザ装置。
【請求項２５】
前記受信器が不連続受信モードにより動作し、前記評価器は、該不連続受信モードが終了した後に動作する、請求項２３に記載のユーザ装置。
【請求項２６】
アップリンク同期パラメータを検出する検出器と、
該検出器による前記アップリンク同期パラメータの検出からインターバルを測定する時間測定ユニットと、
測定された前記インターバルと所定の閾値とを比較し、測定された前記インターバルが前記所定の閾値より短い場合には、検出された前記アップリンク同期パラメータが依然として有効であると決定し、それ以外の場合には、検出された前記アップリンク同期パラメータがもはや有効ではないと決定する評価器と、
を具備することを特徴とするノードＢ。
【請求項２７】
前記アップリンク同期パラメータがタイミング進行パラメータを含む、請求項２６に記載のノードＢ。
【請求項２８】
前記評価器が前記アップリンクのユーザ装置の推定された移動に基づいて前記所定の閾値を調整する、請求項２６に記載のノードＢ。
【請求項２９】
前記アップリンク同期パラメータにおける変化に関する履歴情報を記憶するメモリをさらに具備し、
前記評価器が前記履歴情報に基づいて前記所定の閾値を調整する、請求項２６に記載のノードＢ。
【請求項３０】
決定された有効性をダウンリンクに送信する送信器をさらに具備する、請求項２６に記載のノードＢ。
【請求項３１】
アップリンク同期パラメータを検出する段階と、
前記アップリンク同期パラメータの検出からインターバルを測定する段階と、
測定された前記インターバルと所定の閾値とを比較する段階であって、測定された前記インターバルが前記所定の閾値より短い場合に、検出された前記アップリンク同期パラメータが依然として有効であると決定し、それ以外の場合には、検出された前記アップリンク同期パラメータがもはや有効ではないと決定する段階と、
を含むことを特徴とする方法。
【請求項３２】
前記アップリンク同期パラメータがタイミング進行パラメータを含む、請求項３１に記載の方法。
【請求項３３】
前記アップリンクのユーザ装置の推定された移動に基づいて前記所定の閾値を調整する段階をさらに含む、請求項３１に記載の方法。
【請求項３４】
前記アップリンク同期パラメータにおける変化に関する履歴情報を記憶する段階と、
前記履歴情報に基づいて前記所定の閾値を調整する段階と、
をさらに含む、請求項３１に記載の方法。
【請求項３５】
前記アップリンク同期パラメータを含むダウンリンクシグナリングを受信する段階をさらに含む、請求項３１に記載の方法。
【請求項３６】
前記所定の閾値を含むダウンリンクシグナリングを受信する段階をさらに含む、請求項３１に記載の方法。
【請求項３７】
前記有効性は、前記アップリンクのユーザ装置の不連続動作モードが終了した後に決定される、請求項３１に記載の方法。
【請求項３８】
決定された有効性をダウンリンクに送信する段階をさらに含む、請求項３１に記載の方法。
【請求項３９】
コンピュータ処理を実行する命令のコンピュータプログラムをエンコードする、配布媒体に実装された、コンピュータプログラム製品であって、
前記コンピュータ処理が、
アップリンク同期パラメータを検出する段階と、
前記アップリンク同期パラメータの検出からインターバルを測定する段階と、
測定された前記インターバルと所定の閾値とを比較する段階であって、測定された前記インターバルが前記所定の閾値より短い場合には、検出された前記アップリンク同期パラメータが依然として有効であると決定し、それ以外の場合には、検出された前記アップリンク同期パラメータがもはや有効ではないと決定する段階と、
を含む、ことを特徴とするコンピュータプログラム製品。
【請求項４０】
前記アップリンク同期パラメータがタイミング進行パラメータを含む、請求項３９に記載のコンピュータプログラム製品。
【請求項４１】
前記アップリンクのユーザ装置の推定された移動に基づいて前記所定の閾値を調整する段階をさらに含む、請求項３９に記載のコンピュータプログラム製品。
【請求項４２】
前記アップリンク同期パラメータにおける変化に関する履歴情報を記憶する段階と、
前記履歴情報に基づいて前記所定の閾値を調整する段階と、
をさらに含む、請求項３９に記載のコンピュータプログラム製品。
【請求項４３】
前記アップリンク同期パラメータを含むダウンリンクシグナリングを受信する段階をさらに含む、請求項３９に記載のコンピュータプログラム製品。
【請求項４４】
前記所定の閾値を含むダウンリンクシグナリングを受信する段階をさらに含む、請求項３９に記載のコンピュータプログラム製品。
【請求項４５】
前記有効性は、前記アップリンクのユーザ装置の不連続動作モードが終了した後に決定される、請求項３９に記載のコンピュータプログラム製品。
【請求項４６】
決定された有効性をダウンリンクに送信する段階をさらに含む、請求項３９に記載のコンピュータプログラム製品。
【請求項４７】
アップリンク同期パラメータを検出する検出器と、
該検出器による前記アップリンク同期パラメータの検出からインターバルを測定する時間測定ユニットと、
測定されたインターバルと所定の閾値とを比較し、測定された前記インターバルが前記所定の閾値より短い場合に、検出された前記アップリンク同期パラメータが依然として有効であると決定し、それ以外の場合には、検出された前記アップリンク同期パラメータがもはや有効ではないと決定する評価器と、
を具備することを特徴とする集積回路。
【請求項４８】
前記アップリンク同期パラメータがタイミング進行パラメータを含む、請求項４７に記載の集積回路。
【請求項４９】
前記評価器が前記アップリンクのユーザ装置の推定された移動に基づいて前記所定の閾値を調整する、請求項４７に記載の集積回路。
【請求項５０】
前記アップリンク同期パラメータにおける変化に関する履歴情報を記憶するメモリをさらに具備し、
前記評価器が前記履歴情報に基づいて前記所定の閾値を調整する、請求項４７に記載の集積回路。
【請求項５１】
アップリンク同期パラメータを検出する検出器と、
該検出器による前記アップリンク同期パラメータの検出からインターバルを測定する時間測定ユニットと、
測定された前記インターバルと所定の閾値とを比較し、測定された前記インターバルが前記所定の閾値より短い場合に、検出された前記アップリンク同期パラメータが依然として有効であると決定し、それ以外の場合には、検出された前記アップリンク同期パラメータがもはや有効ではないと決定する評価器と、
を具備することを特徴とするプロセッサ。
【発明の詳細な説明】
【技術分野】
【０００１】
本発明は、パケット交換無線システムのためのネットワーク要素、パケット交換無線システムにおけるアップリンク同期パラメータの有効性を結論付ける構成体、パケット交換無線システムのためのユーザ装置、パケット交換無線システムのためのノードＢ、パケット交換無線システムにおけるアップリンク同期パラメータの有効性を結論付ける方法、パケット交換無線システムにおけるアップリンク同期パラメータの有効性を結論付けるコンピュータプロセスを実行するためのインストラクションのコンピュータプログラムをエンコードするコンピュータプログラム製品、及びパケット交換無線システムのネットワーク要素のための集積回路に係る。
【背景技術】
【０００２】
ほとんどの無線システムでは、個々のユーザ装置からの無線送信は、ノードＢによって受信されるときに同期されねばならない。ユーザ装置は、ノードＢから種々の距離に位置されるので、異なるユーザ装置からの無線送信の伝播遅延が変化し得る。伝播遅延を補償するために、ユーザ装置は、その送信時間をその基礎的な送信スケジュールに対して進める。この補償は、タイミング進み（ＴＡ）パラメータのような同期パラメータによって得ることができる。ノードＢは、タイミング進みの値を、ユーザ装置から受け取った送信に基づいて計算する。
【発明の開示】
【発明が解決しようとする課題】
【０００３】
パケット交換無線システムでは、回路交換無線システムとは異なり、ユーザ装置からノードＢへの一定のトラフィックフローが必ずしもないので、タイミング進みの計算がより困難である。時々、タイミング進みを回復するためにノードＢとユーザ装置との間にシグナリングが必要になることがある。一般的に、近代的なパケット交換無線システムでは、アップリンク同期パラメータの融通性の高い取り扱いが必要である。
【課題を解決するための手段】
【０００４】
本発明は、パケット交換無線システムのための改良されたネットワーク要素、パケット交換無線システムにおけるアップリンク同期パラメータの有効性を結論付ける改良された構成体、パケット交換無線システムのための改良されたユーザ装置、パケット交換無線システムのための改良されたノードＢ、パケット交換無線システムにおけるアップリンク同期パラメータの有効性を結論付ける改良された方法、パケット交換無線システムにおけるアップリンク同期パラメータの有効性を結論付けるコンピュータプロセスを実行するためのインストラクションのコンピュータプログラムをエンコードする改良されたコンピュータプログラム製品、及びパケット交換無線システムのネットワーク要素のための改良された集積回路を提供するものである。
【０００５】
本発明の１つの態様によれば、パケット交換無線システムのためのネットワーク要素において、アップリンク同期パラメータを検出する検出器と、この検出器によるアップリンク同期パラメータの検出からインターバルを測定するための時間測定ユニットと、測定されたインターバルを所定のスレッシュホールドと比較し、測定されたインターバルが所定のスレッシュホールドより短い場合には、検出されたアップリンク同期パラメータが依然有効であると結論付け、さもなければ、検出されたアップリンク同期パラメータがもはや有効でないと結論付ける評価装置と、を備えたネットワーク要素が提供される。
【０００６】
本発明の１つの態様によれば、パケット交換無線システムにおけるアップリンク同期パラメータの有効性を結論付ける構成体において、アップリンク同期パラメータを検出する手段と、この検出手段によるアップリンク同期パラメータの検出からインターバルを測定する手段と、測定されたインターバルを所定のスレッシュホールドと比較し、測定されたインターバルが所定のスレッシュホールドより短い場合は、検出されたアップリンク同期パラメータが依然有効であると結論付け、さもなければ、検出されたアップリンク同期パラメータがもはや有効でないと結論付ける手段と、を備えた構成体が提供される。
【０００７】
本発明の１つの態様によれば、パケット交換無線システムのためのユーザ装置において、アップリンク同期パラメータを検出する検出器と、この検出器によるアップリンク同期パラメータの検出からインターバルを測定するための時間測定ユニットと、測定されたインターバルを所定のスレッシュホールドと比較し、測定されたインターバルが所定のスレッシュホールドより短い場合には、検出されたアップリンク同期パラメータが依然有効であると結論付け、さもなければ、検出されたアップリンク同期パラメータがもはや有効でないと結論付ける評価装置と、を備えたユーザ装置が提供される。
【０００８】
本発明の１つの態様によれば、パケット交換無線システムのためのノードＢにおいて、アップリンク同期パラメータを検出する検出器と、この検出器によるアップリンク同期パラメータの検出からインターバルを測定するための時間測定ユニットと、測定されたインターバルを所定のスレッシュホールドと比較し、測定されたインターバルが所定のスレッシュホールドより短い場合には、検出されたアップリンク同期パラメータが依然有効であると結論付け、さもなければ、検出されたアップリンク同期パラメータがもはや有効でないと結論付ける評価装置と、を備えたノードＢが提供される。
【０００９】
本発明の１つの態様によれば、パケット交換無線システムにおけるアップリンク同期パラメータの有効性を結論付ける方法において、アップリンク同期パラメータを検出するステップと、アップリンク同期パラメータの検出からインターバルを測定するステップと、測定されたインターバルを所定のスレッシュホールドと比較し、測定されたインターバルが所定のスレッシュホールドより短い場合には、検出されたアップリンク同期パラメータが依然有効であると結論付け、さもなければ、検出されたアップリンク同期パラメータがもはや有効でないと結論付けるステップと、を備えた方法が提供される。
【００１０】
本発明の１つの態様によれば、パケット交換無線システムにおけるアップリンク同期パラメータの有効性を結論付けるコンピュータプロセスを実行するためのインストラクションのコンピュータプログラムをエンコードするコンピュータプログラム製品において、前記プロセスは、アップリンク同期パラメータを検出し、アップリンク同期パラメータの検出からインターバルを測定し、測定されたインターバルを所定のスレッシュホールドと比較し、測定されたインターバルが所定のスレッシュホールドより短い場合には、検出されたアップリンク同期パラメータが依然有効であると結論付け、さもなければ、検出されたアップリンク同期パラメータがもはや有効でないと結論付けることを含む、コンピュータプログラム製品が提供される。
【００１１】
本発明の１つの態様によれば、パケット交換無線システムのネットワーク要素のための集積回路において、アップリンク同期パラメータを検出する検出器と、この検出器によるアップリンク同期パラメータの検出からインターバルを測定する時間測定ユニットと、測定されたインターバルを所定のスレッシュホールドと比較し、測定されたインターバルが所定のスレッシュホールドより短い場合には、検出されたアップリンク同期パラメータが依然有効であると結論付け、さもなければ、検出されたアップリンク同期パラメータがもはや有効でないと結論付ける評価装置と、を備えた集積回路が提供される。
【００１２】
本発明は、少なくとも、検出されたアップリンク同期パラメータの有効性を容易に評価できるという効果を与える。
【００１３】
以下、添付図面を参照して、本発明の実施形態を一例として詳細に説明する。
【発明を実施するための最良の形態】
【００１４】
図１を参照して、パケット交換無線システムの一実施例を説明する。この無線システムは、例えば、ユニバーサルモバイルテレコミュニケーションズシステム（ＵＭＴＳ）である。又、無線システムは、高速パケットデータサービスを提供することができる。高速パケットデータサービスは、３ＧＰＰ（第三世代パートナーシッププロジェクト）によって標準化された高速ダウンリンクパケットアクセス（ＨＳＤＰＡ）でよい。又、無線システムは、高速パケットデータサービスに対して、マルチキャリアデータ送信機構、例えば、直交周波数分割多重化（ＯＦＤＭ）を使用してもよい。又、無線システムは、ＥＵＴＲＡＮ（進化型ＵＭＴＳ地上無線アクセスネットワーク）を含んでもよい。
【００１５】
図１は、２つのネットワーク要素、即ちノードＢ１００及びユーザ装置１０２しか示していないが、パケット交換無線システムは、他の形式のネットワーク要素を含んでもよいことも理解されたい。又、ネットワーク要素の数は、地理的なカバレージ及びユーザの数の両方に基づいて変化する。
【００１６】
本出願全体にわたり、ノードＢ及びユーザ装置という語は、一貫して使用される。しかしながら、あるケースでは、これらのネットワーク要素は、他の名前でも知られていることに注意されたい。ノードＢは、例えば、ベースステーション（ＢＳ）又はベーストランシーバステーション（ＢＴＳ）とも称される。又、ユーザ装置は、例えば、移動ステーション（ＭＳ）又は加入者ターミナルとも称される。２つのネットワーク要素の基本的な相違は、ノードＢがネットワークインフラストラクチャーに属し、一方、ユーザ装置がシステムのユーザに属することである。無線システムの一般的な構造並びにネットワーク要素の構造及び機能は、この技術でよく知られているので、ここでは更に説明しないが、読者には、ワイヤレステレコミュニケーションの多数のテキストブック及び規格を調べることを勧める。
【００１７】
図１は、アップリンク（ＵＬ）及びダウンリンク（ＤＬ）の概念を示す。ダウンリンク１０４は、ノードＢ１００からユーザ装置１０２への無線接続を指し、一方、アップリンク１０６は、ユーザ装置１０２からノードＢ１００への無線接続を指す。先に述べたように、ノードＢ１００は、受信したアップリンク無線接続１０６に基づいて、アップリンク同期パラメータを計算する。ノードＢ１００は、アップリンク同期パラメータの値を、ダウンリンク無線接続１０４においてユーザ装置１０２へ信号する。
【００１８】
一般的に述べると、図１の無線システムにおけるネットワーク要素は、次の３つの部分を含む。即ち、１）アップリンク１０６の同期パラメータを検出する検出器、２）検出器によるアップリンク１０６の同期パラメータの検出からのインターバルを測定する時間測定ユニット、及び３）測定されたインターバルを所定のスレッシュホールドと比較し、測定されたインターバルが所定のスレッシュホールドより短い場合には、検出されたアップリンク１０６の同期パラメータが依然有効であると結論付け、さもなければ、検出されたアップリンク１０６の同期パラメータがもはや有効でないと結論付ける評価装置。この特殊なネットワーク要素は、ノードＢ１００及び／又はユーザ装置１０２でよい。
【００１９】
検出器、時間測定ユニット及び評価装置は、１つ以上のプロセッサで実行されるソフトウェアとして実施されてもよいし、又は特定用途向け集積回路ＡＳＩＣのような１つ以上の集積回路として実施されてもよい。又、個別の論理コンポーネントで作られた回路のような他のハードウェア実施形態も考えられる。これら異なる具現化の混成も考えられる。具現化の仕方を判断するときには、当業者であれば、例えば、サイズ及び電力消費、必要な処理容量、生産コスト、及び生産量に対して設定された要求が考慮される。
【００２０】
図２を参照し、最初に、特殊なネットワーク要素がノードＢ１００である場合について考える。
【００２１】
ノードＢ１００は、アップリンク１０６を受信するアンテナ２００をもつ受信器２０２を備えている。検出器２０４は、アップリンク１０６の同期パラメータを検出する。これは、例えば、ユーザ装置１０２から受信されたアップリンク１０６の無線送信に基づいてタイミング進みを計算することにより達成できる。タイミング進みの計算は、任意の従来の仕方で行うことができる。
【００２２】
又、ノードＢ１００は、検出器２０４によるアップリンク１０６の同期パラメータの検出からインターバルを測定する時間測定ユニット２０６も備えている。この時間測定ユニット２０６は、アップリンク１０６の同期パラメータの検出からのインターバルを、アップリンク１０６の同期パラメータの有効性が結論付けられるまで測定することができる。時間測定ユニット２０６は、従来の仕方で実施できる。タイマーを使用してインターバルを測定してもよい。又、クロックを使用して、検出及び評価にタイムスタンプを押し、次いで、２つのタイムスタンプからインターバルを計算してもよい。無線システムにおいて時間を測定する別の通常の仕方は、無線インターフェイスのフレーム構造に関するフレーム番号又は別の量によって表わされたシステム特有の時間を使用することである。
【００２３】
又、ノードＢ１００は、測定されたインターバルを所定のスレッシュホールドと比較し、測定されたインターバルが所定のスレッシュホールドより短い場合には、検出されたアップリンク１０６の同期パラメータが依然有効であると結論付け、さもなければ、検出されたアップリンク１０６の同期パラメータがもはや有効でないと結論付ける評価装置２０８も備えている。
【００２４】
評価装置２０８は、アップリンク１０６のユーザ装置１０２の推定される移動に基づいて所定のスレッシュホールドを調整することができる。無線システムのネットワークインフラストラクチャーは、ユーザ装置１０２の移動を推定するユニット２１２を含むことができる。ユーザ装置１０２が移動しない場合には、所定のスレッシュホールドを長くすることができる。一方、ユーザ装置１０２がノードＢ１００から離れるか又はノードＢ１００に接近する場合には、所定のスレッシュホールドを短くすることができる。ユーザ装置の速度を推定できる場合には、所定のスレッシュホールドをより正確に調整することができる。
【００２５】
又、ノードＢ１００は、アップリンク１０６の同期パラメータの変化に関する履歴情報を記憶するメモリ２１０も含むことができる。評価装置２０８は、この履歴情報に基づいて所定のスレッシュホールドを調整することができる。アップリンク１０６の同期パラメータが、例えば、最後の１０分間変化しない場合には、所定のスレッシュホールドを安全に延ばすことができる。
【００２６】
又、ノードＢ１００は、アンテナ２１６を経て判断された有効性をダウンリンク１０４に送信する送信器２１４も含むことができる。ダウンリンク１０４の送信の目的は、アップリンク１０６の同期パラメータの有効性をユーザ装置１０２に通知することである。有効性に加えて、アップリンク１０６の同期パラメータの（おそらく更新された）値も、ダウンリンク１０４に送信することができる。図２には個別のアンテナ２００、２１６が示されているが、デュープレクサを経て受信器２０２及び送信器２１４の両方に結合された単一のアンテナだけが存在してもよい。
【００２７】
図３を参照して、特殊なネットワーク要素がユーザ装置１０２である場合について考える。
【００２８】
ユーザ装置１０２は、ダウンリンク１０４を受信するアンテナ３００をもつ受信器３０２を備えている。この受信器３０２は、アップリンク同期パラメータを含むダウンリンク１０４のシグナリングを受信することができる。
【００２９】
検出器３０６は、受信したダウンリンク１０４の送信からアップリンク１０６の同期パラメータを検出する。アップリンク１０６の同期パラメータのシグナリングは、少なくとも無線接続の始めに実行されねばならない。その後に、ユーザ装置１０２は、アップリンク１０６の同期パラメータを検出し、したがって、ノードＢ１００は、（以前の）アップリンク１０６の同期パラメータが依然有効であることを指示することができる。
【００３０】
又、ユーザ装置１０２は、検出器３０６によるアップリンク１０６の同期パラメータの検出からのインターバルを測定する時間測定ユニット３０８も備えている。ユーザ装置１０２の時間測定ユニット３０８は、ノードＢ１００の時間測定ユニット２０６と同様に実施されてもよい。又、時間測定ユニット３０８は、次のように機能する。アップリンク１０６の同期パラメータが受信されたときにインターバルの測定がスタートされ、又、アップリンク１０６の同期パラメータが有効であることを指示する新たな有効なアップリンク１０６の同期パラメータ又は情報がノードＢ１００から受信されたときに、インターバルの測定が再スタートされ、測定されたインターバルは、アップリンク１０６の送信の前に有効性の評価に使用される。
【００３１】
又、ユーザ装置１０２は、測定されたインターバルを所定のスレッシュホールドと比較し、測定されたインターバルが所定のスレッシュホールドより短い場合には、検出されたアップリンク１０６の同期パラメータが依然有効であると結論付け、さもなければ、検出されたアップリンク１０６の同期パラメータがもはや有効でないと結論付ける評価装置３１０も備えている。
【００３２】
又、受信器３０２は、所定のスレッシュホールドを含むダウンリンク１０４のシグナリング１０４も受信することができる。評価装置３１０は、アップリンク１０６のユーザ装置１０２の推定される移動に基づいて所定のスレッシュホールドを調整することができる。推定される移動は、ネットワークインフラストラクチャーによって決定され、ノードＢ１００からユーザ装置１０２へシグナリングすることができる。或いは又、ユーザ装置１０２は、例えば、ＧＰＳ(グローバルポジショニングシステム)のようなポジショニングシステムで移動を推定するユニット３１４を備えてもよい。
【００３３】
又、ユーザ装置１０２は、アップリンク１０６の同期パラメータの変化に関する履歴情報を記憶するメモリ３１２も含むことができる。評価装置３１０は、この履歴情報に基づいて所定のスレッシュホールドを調整することができる。
【００３４】
ユーザ装置１０２の受信器３０２は、不連続受信モード(時々頭字語ＤＲＸにより知られている)で動作することができる。評価装置２０８は、受信器３０２の不連続動作モードが終了した後に動作するように構成できる。
【００３５】
先に述べたように、特殊なネットワーク要素は、ノードＢ１００及び／又はユーザ装置１０２である。必要な機能がノードＢ１００で実施される場合には、ユーザ装置１０２の構造は、図４に示すように簡単にすることができ、即ちユーザ装置１０２は、アンテナ３００をもつ受信器３０２と、アップリンク１０６の同期パラメータを受信してそれを送信に使用するユニット４００と、アンテナ３１８をもつ送信器３１６とを備えている。図３及び４のアンテナ３００及び３１８は、デュープレクサを通して受信器３０２及び送信器３１６の両方に結合された単一のアンテナに置き換えてもよい。
【００３６】
同様に、必要な機能がユーザ装置１０２で実施される場合には、受信器２０２、送信器２１４、及びアンテナ２００、２１６に加えて、アップリンク１０６の同期パラメータを計算してそれをユーザ装置１０２へシグナリングするユニットが必要とされるだけであるように、ノードＢ１００の構造を簡単化することができる。
【００３７】
アップリンク１０６の同期パラメータの処理を更に明確にするために、先ず、図５を参照し、次いで、図７を参照して、ノードＢ１００とユーザ装置１０２との間の２つの信号シーケンスを説明する。その後、図６を参照して、所定のスレッシュホールド及び不連続受信インターバルの概念を説明する。
【００３８】
図５において、特殊なネットワーク要素の機能は、ユーザ装置１０２で実施される。
【００３９】
ノードＢ１００は、ユーザ装置１０２から受信したアップリンク送信５００に基づいてタイミング進みを計算する(５０２)。次いで、ノードＢ１００は、タイミング進みパラメータをダウンリンク送信においてユーザ装置１０２へ送信する(５０４)。
【００４０】
ユーザ装置１０２は、ダウンリンク送信５０４からタイミング進みパラメータを検出する(５０６)。次いで、ユーザ装置１０２は、インターバルの測定をスタートする(５０８)。アップリンク送信の必要性が生じると(５１１)、タイミング進みパラメータの有効性が上述したように評価され(５１０)、即ち、測定されたインターバルが所定のスレッシュホールドと比較され、測定されたインターバルが所定のスレッシュホールドより短い場合には、検出されたアップリンク同期パラメータが依然有効であると結論付けられ(５１２)、さもなければ、検出されたアップリンク同期パラメータがもはや有効でないと結論付けられる(５１６)。インターバルの測定は、有効性がチェックされたとき又は測定が継続されるときに停止することができる。測定は、例えば、アップリンク１０６の同期パラメータの次の検出まで続けられる。
【００４１】
検出されたタイミング進みパラメータ依然有効であると結論された場合には(５１２)、ユーザ装置１０２は、その検出されたタイミング進みパラメータを使用してアップリンクにおいて通常に送信することができる(５１４)(もちろん、アップリンク１０６の送信に対して予約された無線チャンネルリソースが存在するという条件で)。次いで、オペレーション５０２から信号シーケンスを続けることができる。
【００４２】
検出されたタイミング進みパラメータもはや有効でないと結論された場合には(５１６)、ユーザ装置１０２は、例えば、ＲＡＣＨ(ランダムアクセスチャンネル)手順５１８で新たな同期を得ることが必要になる。次いで、ノードＢ１００は、ＲＡＣＨ手順５１８に基づいてタイミング進みパラメータの新たな値を計算し(５２０)、新たなタイミング進みパラメータをダウンリンクにおいてユーザ装置１０２へ送信する(５２２)。ユーザ装置１０２は、タイミング進みパラメータを検出し(５２４)、その検出されたタイミング進みパラメータを使用してアップリンクにおいて送信を行う(５２６)。次いで、５０８及び／又は５０２から信号シーケンスを続けることができる。
【００４３】
次いで、図７について説明する。特殊なネットワーク要素の機能は、ノードＢ１００で実施される。
【００４４】
ノードＢ１００は、ユーザ装置１０２から受信したアップリンク送信７００に基づいてタイミング進みを計算する(７０２)。ここで、タイミング進みは、ノードＢ１００において検出される(７０４)。その後、ノードＢ１００は、インターバルの測定をスタートする(７０６)。その後、タイミング進みパラメータの有効性が評価される(７０８)。即ち、測定されたインターバルが所定のスレッシュホールドと比較され、測定されたインターバルが所定のスレッシュホールドより短い場合には、検出されたアップリンク同期パラメータが依然有効であると結論付けされ(７１０)、さもなければ、検出されたアップリンク同期パラメータがもはや有効でないと結論付けされる(７１６)。
【００４５】
検出されたタイミング進みパラメータが依然有効であると結論付けられた場合には(７１０)、ノードＢ１００は、タイミング進みパラメータが依然有効であるという指示を含む送信をダウンリンクにおいて送信することができる(７１２)。ユーザ装置１０２は、ダウンリンク７１２からタイミング進みパラメータを検出し(７１３)、その検出されたタイミング進みパラメータを次のアップリンク送信７１４に使用する。次いで、オペレーション７０２から信号シーケンスを続けることができる。
【００４６】
検出されたタイミング進みパラメータがもはや有効でないと結論付けられた場合には(７１６)、ユーザ装置１０２は、ダウンリンク送信７１８においてその旨通知される。ユーザ装置は、例えば、ＲＡＣＨ(ランダムアクセスチャンネル)手順７２０で新たな同期を得ることが必要になる。次いで、ノードＢ１００は、ＲＡＣＨ手順７２０に基づいてタイミング進みパラメータの新たな値を計算し(７２２)、新たなタイミング進みパラメータをダウンリンクにおいてユーザ装置１０２へ送信する(７２４)。ユーザ装置１０２は、タイミング進みパラメータを検出し(７２６)、その検出されたタイミング進みパラメータを使用してアップリンクにおいて送信を行う(７２８)。次いで、７０２から信号シーケンスを続けることができる。
【００４７】
図７において、ノードＢ１００は、受信したアップリンク送信７００に基づいてタイミング進みを計算する(７０２)。図７の信号シーケンスをスタートする別の仕方は、ノードＢ１００がダウンリンクにおいてデータを送信する必要性を悟る（７０７）ようにすることである。次いで、ノードＢ１００は、タイミング進みパラメータ（ある以前のアップリンク送信に基づいて計算された)の有効性を評価し(７０８)、そこから図７に示すようにシーケンスが続けられる。
【００４８】
次いで、図６について説明する。
【００４９】
ＥＵＴＲＡＮ（進化型ＵＭＴＳ地上無線アクセスネットワーク）では、送信がパケットベースであり、専用（連続アップリンク／ダウンリンクリソース指定）接続の概念が存在しない。ＥＵＴＲＡＮリソース指定は、たいていは、割り当てテーブル（ＡＴ）を使用して一回割り当てを通して与えることができる。ユーザ装置１０２は、特定の時間インターバル（ＤＲＸインターバル）でアクティブな状態において割り当てテーブルを受け取ることができる。現在の見解では、ＤＲＸ（不連続受信）インターバルの長さが変化し、即ちアクティブな状態における最適な電力節約能力に対する要求のためにそれが若干長くなることがある。アップリンク１０６の同期パラメータの有効性を結論付けるための手順は、アクティブな状態に関連して説明するが、その状態のみに制約される必要はない。
【００５０】
ＤＲＸが時間切れすると、ユーザ装置１０２は、ウェイクアップして、割り当てテーブルを受け取り、そこからユーザ装置１０２は、それに対して割り当てられたリソースがあるかどうかチェックすることができる。現在の推定では、アクティブな状態におけるＤＲＸインターバルが０から５．１２秒まで変化し得る。これに加えて、３ＧＰＰでの共通の理解として、３．９Ｇにおける電力節約能力が理想的な状態及びアクティブな状態の両方においてとにかく同様でなければならない。
【００５１】
パケットのみの接続に関連した１つの問題は、アクティブなアップリンク／ダウンリンク送信を行わないようにしつつ、アップリンク１０６の同期を最新に保つことである。一方、ユーザ装置１０２がアップリンク同期されず、ＤＲＸ周期が（非常に）短い（例えば、５０ミリ秒の）場合には、アップリンク１０６に対して割り当てテーブルのリソースがユーザ装置１０２に指定されるたびに、ＲＡＣＨ手順のために、著しいアップリンクＲＡＣＨシグナリングオーバーヘッド（アップリンク同期の欠落により必要とされる）及びアップリンクデータ送信遅延を導入することがある。
【００５２】
３．９Ｇのアクティブ状態にある間にアップリンク１０６の同期が常時最新に保たれるよう命令された場合には、これは、他方では、アクティブな状態における電力最適化に対して非常に限定された可能性を導入し、アクティブ／アイドル状態遷移を著しく増加することがある。
【００５３】
前記の理由は、ユーザ装置１０２のアップリンク１０６の同期が、限定された時間長さに対してのみ有効とみなされることに基づいている。アップリンク１０６の同期が長期間最新に保たれる必要がある場合には、ユーザ装置１０２とノードＢ１００との間でアップリンク１０６及びダウンリンク１０４の両方の送信を行う必要がある。他の選択肢は、ユーザ装置１０２がアップリンク１０６の同期を最新に保つことのできるインターバルよりもＤＲＸ周期が長いときにユーザ装置１０２をアイドル状態へ指令することである。
【００５４】
アップリンク１０６の同期の前記問題は、アップリンク１０６の同期パラメータの有効性に関するものである。一般的に、連続的なアップリンク１０６及びダウンリンク１０４の送信の間の測定されたインターバルが所定のスレッシュホールドより短い場合には、アップリンク１０６の同期パラメータが有効とみなされる。換言すれば、アップリンク１０６の同期パラメータの考えられる最後の更新の可能性からの測定されたインターバルが、所定のスレッシュホールドより短い場合には、アップリンク１０６の同期パラメータが有効とみなされる。
【００５５】
ＤＲＸ周期及びアップリンク１０６の同期は、ユーザ装置１０２のＤＲＸ周期が所定のスレッシュホールドより短い場合には、ユーザ装置１０２が、そのアップリンク１０６の同期を、アクティブ状態にある間に、最新とみなさねばならないように、リンクされる。
【００５６】
ネットワークは、ユーザ装置１０２が、適当なインターバルに指定されたアップリンク１０６及びダウンリンク１０４のリソースを得るように保証し、ネットワークがタイミング進みパラメータを推定できるように保証する。適当なインターバルは、ネットワークパラメータでもよいし、又は仕様書に明記されてもよい。
【００５７】
更新頻度に影響するパラメータは、一般に、ユーザ装置１０２とノードＢ１００との間の信号経路を変化させるパラメータである。このようなパラメータは、ノードＢ１００に対するユーザ装置１０２の速度、一般的なユーザ装置１０２の移動、及び周囲環境の変化を含む。
【００５８】
前記パラメータのほとんどは、ユーザ装置１０２のタイミング進みパラメータに直接関連付けることが困難であるので、１つの解決策は、タイミング進みパラメータがインターバル内に著しく変化しないことを保証するに足るほど短いインターバルに基づいてタイミング進みを更新することである。別の解決策として、ネットワークは、アップリンク１０６の同期パラメータを有効とみなすようにユーザ装置１０２に要求するための基礎として接続特性を使用することができる。
【００５９】
この特徴は、多数の仕方で実施することができる。３．９Ｇの仕様書は、ユーザ装置１０２がアクティブな状態にあり、ＤＲＸ周期が所定のスレッシュホールドより短い場合には、ネットワークが必要なアップリンク１０６及びダウンリンク１０４のリソースをユーザ装置１０２に指定して、ネットワークがユーザ装置１０２のアップリンク１０６の同期を最新に保つことができるようにしなければならないことを記述する。この特徴は、セル対セルベースの、又はネットワーク規模のパラメータとしてのシステム情報により与えられるネットワーク設定によってサポートすることができる。シグナリングを使用して、ユーザ装置１０２に、その特徴が使用されることを通知できる。このようなシグナリングは、例えば、接続設定中に行うことができる。
【００６０】
アルゴリズムは、次の形態をとることができる。
【００６１】
ＤＲＸ周期＞所定のスレッシュホールドの場合には、アップリンク１０６の同期パラメータをアクティブな状態において有効とみなす必要はない。
【００６２】
ＤＲＸ周期≦所定のスレッシュホールドの場合には、アップリンク１０６の同期パラメータをアクティブな状態において有効とみなさねばならない。
【００６３】
所定のスレッシュホールドは、サブフレーム又はミリ秒でＤＲＸ周期として与えることもできるし、或いは他の手段（ビットパターンのような）によって与えることもできる。
【００６４】
所定のスレッシュホールドには、次の特殊な予約値が与えられる。‘０’＝アクティブな状態において特徴を決して使用しない。‘無限大’＝アクティブな状態において常にこの特徴を使用する。
【００６５】
この特徴は、電力最適化のためのサポートがアクティブなモードにおいても与えられると共に、ユーザ装置１０２が定義された状態に間にアップリンク１０６の同期パラメータを有効とみなすことを保証することができる。ユーザ装置１０２のアップリンク１０６の同期は、ネットワークにより予想可能で且つ構成可能である。更に、ＲＡＣＨ手順に必要なリソースの量は僅かでよく、アップリンク１０６のアクセス時間は短くてよい。
【００６６】
例示的なフレーム構造６００が図６に示されている。このフレーム構造６００は、サブフレーム６０１を含む。
【００６７】
第１のユーザ装置６０２は、第１のＤＲＸ周期６２６だけ分離された時間ｔ０及びｔ６にダウンリンクを受信することができる。
【００６８】
第２のユーザ装置６０４は、第２のＤＲＸ周期６２４だけ分離された時間ｔ０、ｔ１、ｔ２、ｔ３、ｔ４、ｔ５及びｔ６にダウンリンクを受信することができる。
【００６９】
チャンネルリソース６０６、６０８、６１０、６１２、６１４、６１６、６１８、６２０及び６２２は、ダウンリンク１０４のチャンネルリソース及びアップリンク１０６のチャンネルリソースを含む。説明上、指定されたリソースは、ここに詳細に述べる必要がなかろう。
【００７０】
所定のスレッシュホールド６２８は、第２のＤＲＸ周期６２４より明らかに長く、又、第１のＤＲＸ周期６２６より明らかに短い。第２のユーザ装置６０４のタイミング進みパラメータは、時間ｔ６において、もはや有効でないが、第１のユーザ装置６０２のタイミング進みパラメータは、時間ｔ１、ｔ２、ｔ３、ｔ４、ｔ５及びｔ６において依然有効であることが結論される。
【００７１】
次いで、図８を参照し、パケット交換無線システムにおけるアップリンク同期パラメータの有効性を結論付ける方法について説明する。この方法は、８００において始まる。８０２において、アップリンク同期パラメータが検出される。次いで、８０４において、アップリンク同期パラメータの検出からのインターバルが測定される。次いで、測定されたインターバルが所定のスレッシュホールドと比較され（８０６、８０８）、測定されたインターバルが所定のスレッシュホールドより短い場合には、検出されたアップリンク同期パラメータが依然有効であると結論付けられ（８１０）、さもなければ、検出されたアップリンク同期パラメータがもはや有効でないと結論付けられる（８１２）。この結論付けの後に、この方法は、８１４で終了となるか、又は８０２から続く。
【００７２】
この方法は、例えば、上述したように、ノードＢ１００及び／又はユーザ装置１０２によって実施することができる。
【００７３】
この方法は、パケット交換無線システムにおけるアップリンク同期パラメータの有効性を結論付けるコンピュータプロセスを実行するためのインストラクションのコンピュータプログラムをエンコードするコンピュータプログラム製品として実施されてもよい。コンピュータプログラム製品は、配布媒体において実施されてもよい。配布媒体は、顧客へソフトウェアを配布するための任意の手段、例えば、プログラム記憶媒体、メモリ、ソフトウェア配布パッケージ、信号、又はテレコミュニケーション信号でよい。コンピュータプログラム製品は、ノードＢ１００及び／又はユーザ装置１０２において実行することができる。
【００７４】
添付図面に基づき一実施形態について本発明を説明したが、本発明は、これに限定されるものではなく、特許請求の範囲内で多数の方法で変更することができる。
【図面の簡単な説明】
【００７５】
【図１】ユーザ装置及びノードＢを示す。
【図２】ノードＢの実施形態を示す。
【図３】ユーザ装置の実施形態を示す。
【図４】ユーザ装置の別の実施形態を示す。
【図５】ノードＢとユーザ装置との間の信号シーケンスを示す。
【図６】所定のスレッシュホールド及び不連続受信インターバルを示す。
【図７】ノードＢとユーザ装置との間の別の信号シーケンスを示す。
【図８】パケット交換無線システムにおけるアップリンク同期パラメータの有効性を結論付ける方法の実施形態を示す。
【図１】
2009531903.tif 000003
【図２】
2009531903.tif 000004
【図３】
2009531903.tif 000005
【図４】
2009531903.tif 000006
【図５】
2009531903.tif 000007
【図６】
2009531903.tif 000008
【図７】
2009531903.tif 000009
【図８】
2009531903.tif 000010
【国際調査報告】
2009531903.tif 000011
2009531903.tif 000012
2009531903.tif 000013